【手続補正書】
【提出日】平成17年4月22日(2005.4.22)
【手続補正１】
【補正対象書類名】明細書
【補正対象項目名】特許請求の範囲
【補正方法】変更
【補正の内容】
【特許請求の範囲】
【請求項１】
装置（５から９）のそれぞれの通信リンク（２２ｃ、２３、２４）を介した接続のための複数のポート（４４、４４'）を備える一方、前記ポートの少なくとも少数（４４）がそれぞれのメディアデータインタフェースでなんらかのパワーサプライ（５１）に接続されているパワーサプライディストリビュータ（４'、４ａ、４ｂ、２０ａ、２０ｂ）であって、
前記パワーサプライディストリビュータ（４'、４ａ、４ｂ、２０ａ、２０ｂ）がそれぞれの通信リンク（４１、４２）を介してファントムモードで送信されたデータを処理するために、前記メディアデータインタフェースの少なくとも少数に接続されたモデム（５３）を備え、前記モデムが互いの間でマルチプレクサ（５４）を通じて接続されていることを特徴とする、パワーサプライディストリビュータ（４'、４ａ、４ｂ、２０ａ、２０ｂ）。
【請求項２】
前記ポート（４４、４４'）の少なくとも少数がネットワーク要素（３、３ａ、３ｂ）に接続可能であることを特徴とする、請求項１に記載のパワーサプライディストリビュータ。
【請求項３】
前記ネットワーク要素（３、３ａ、３ｂ）を備えることを特徴とする、請求項２に記載のパワーサプライディストリビュータ。
【請求項４】
ＣＰＵ（６０）と前記マルチプレクサ（５４）とに接続されたバス（６１）を備えることを特徴とする、請求項１に記載のパワーサプライディストリビュータ。
【請求項５】
前記モデム（５３）が、前記マルチプレクサ（５４）として前記ＣＰＵ（６０）によって制御されることを可能にする前記バス（６１）にも接続されることを特徴とする、請求項４に記載のパワーサプライディストリビュータ。
【請求項６】
前記ポート（４４、４４'）がそれぞれのメディアデータインタフェースにおいて前記バス（６１）に接続されることを特徴とする、請求項４に記載のパワーサプライディストリビュータ。
【請求項７】
ポート（４４'）が前記ＣＰＵ（６０）を制御するための装置専用であることを特徴とする、請求項６に記載のパワーサプライディストリビュータ。
【請求項８】
前記マルチプレクサ（５４）が、モデム（５３）から受信したデータを他のモデム（５３）にブロードキャストするためにセットアップされることを特徴とする、請求項１に記載のパワーサプライディストリビュータ。
【請求項９】
前記マルチプレクサ（５４）が、前記受信データのブロードキャストのためのモデム（５３）を選択することを可能にするスイッチ機能を伴ってセットアップされることを特徴とする、請求項１に記載のパワーサプライディストリビュータ。
【請求項１０】
前記マルチプレクサ（５４）が、対応するメディアデータインタフェースに接続されたモデム（５３）を用いて少なくとも一の通信リンク（４１）を介してファントムモードでデータの双方向伝送を可能にするようセットアップされることを特徴とする、請求項９に記載のパワーサプライディストリビュータ。
【請求項１１】
ファントムモードで、少なくとも一のパワーサプライディストリビュータ（４'、４ａ、４ｂ、２０ａ、２０ｂ）を用いてデータを送信する方法であり、該ディストリビュータが、それぞれの装置（５から９）の通信リンクを介した接続のための複数のポート（４４、４４'）と、該ポート（４４）のそれぞれのメディアデータインタフェースの少なくとも少数に接続されたモデム（５３）と、該モデム（５３）間を互いに接続するマルチプレクサ（５４）とを備える方法であって、
データをファントムモードでポート（４４）において装置から通信リンクを介して受信するステップと、
該ポート（４４）のメディアデータインタフェースに接続されたモデム（５３）によって前記データを処理するステップと、
他の接続されたモデム（５３）にブロードキャストするために前記データを前記マルチプレクサ（５４）に転送するステップと、
前記ブロードキャストされたデータを該モデム（５３）によって対応するポート（４４）のメディアデータインタフェースに転送して、該ポートに接続された装置（５から９）に通信リンク（４２）を介してファントムモードでさらに送信可能にするステップと
を含む、方法。
【請求項１２】
データをファントムモードで少なくとも一のパワーサプライディストリビュータ（４'、４ａ、４ｂ、２０ａ、２０ｂ）を用いて送信する方法であり、該パワーサプライディストリビュータが、それぞれの装置（５から９）の通信リンクを介した接続のための複数のポート（４４、４４'）と、前記ポート（４４）のそれぞれのメディアデータインタフェースの少なくとも少数に接続されたモデム（５３）と、該モデム（５３）間を互いに接続するマルチプレクサ（５４）を備える一方、前記マルチプレクサ（５４）がスイッチ機能を備える方法であって、該方法が、
データをファントムモードでポート（４４）において装置（５から９）から通信リンク（４１）を介して受信するステップと、
該ポート（４４）のメディアデータインタフェースに接続されたモデム（５３）により該データを処理するステップと、
前記マルチプレクサ（５４）に該データを転送するステップと、
該データをさらに送信するための少なくとも一のモデム（５３）を前記マルチプレクサ（５４）により前記スイッチ機能を用いて選択するステップと、
前記データを、選択されたモデム（５３）によって、対応するポート（４４）のメディアデータインタフェースに転送して、該ポート（４４）に接続された装置（５から９）に通信リンクを介してファントムモードでさらに送信可能にするステップと
を含む、方法。
【請求項１３】
少なくとも少数の前記ポート（４４）がそれぞれのメディアデータインタフェースにおいてなんらかのパワーサプライ（５１）と結合され、該ポートに接続される装置（５、７、８）の通信リンクを介した遠隔パワー供給を可能にする、請求項１１もしくは１２に記載の方法。
【請求項１４】
前記マルチプレクサ（５４）が、前記パワーサプライディストリビュータ（４'、４ａ、４ｂ、２０ａ、２０ｂ）の特定のポート（４４'）において接続されるローカルマネージメントから制御され、前記ポート（４４'）が前記マルチプレクサ（５４）と直接接続される、請求項１３に記載の方法。
【請求項１５】
前記マルチプレクサ（５４）が、前記パワーサプライディストリビュータのポートに接続されるよう、通信リンクを介して装置（５、６、９）によって遠隔制御される、請求項１３に記載の方法。
【請求項１６】
前記マルチプレクサ（５４）が、該マルチプレクサと前記ポート（４４'）とに接続されたＣＰＵ（６０）を介して制御されることを特徴とする、請求項１４もしくは１５に記載の方法。
【請求項１７】
複数の相互接続されたノードを備えるネットワークであり、少なくとも一のパワーサプライディストリビュータ（４'、４ａ、４ｂ、２０ａ、２０ｂ）をこれらのノードの一において備え、該パワーサプライディストリビュータが、それぞれの装置（５から９）の通信リンクを介した接続のための複数のポートを備え、少なくとも少数の前記ポート（４４）がそれぞれのメディアデータインタフェースにおいてなんらかのパワーサプライ（５１）と接続されているネットワークであって、
前記パワーサプライディストリビュータ（４'、４ａ、４ｂ、２０ａ、２０ｂ）が、それぞれの通信リンクを介してファントムモードで送信されたデータを処理するために、少なくとも少数の前記メディアデータインタフェースに接続されたモデム（５３）を備える一方、該モデム（５３）が互いの間でマルチプレクサ（５４）を通して接続され、データをファントムモードで少なくとも二の異なる通信リンクにブロードキャストすることを可能にする、ネットワーク。
【請求項１８】
複数の相互接続されたノードを備えるネットワークであり、少なくとも一のパワーサプライディストリビュータ（４'、４ａ、４ｂ、２０ａ、２０ｂ）をこれらのノードの一において備え、前記パワーサプライディストリビュータが、それぞれの装置（５から９）の通信リンクを介した接続のための複数のポート（４４、４４'）を備え、かつ前記ポートの少なくとも少数（４４）がそれぞれのメディアデータインタフェースにおいてなんらかのパワーサプライ（５１）に接続されるネットワークであって、
前記パワーサプライディストリビュータ（４'、４ａ、４ｂ、２０ａ、２０ｂ）が、それぞれの通信リンクを介してファントムモードで送信されたデータを処理するため、前記メディアデータインタフェースの少なくとも少数に接続されたモデム（５３）を備え一方、前記モデム（５３）が、互いの間でスイッチ機能を伴ってセットアップされたマルチプレクサ（５４）を通して接続され、データが転送される少なくとも一の通信リンクを選択することを可能にすることを特徴とする、ネットワーク。
【請求項１９】
ネットワークの異なるノードを接続するリンクの少なくとも一部でデータの伝送のためのファントムモードの使用に基づいてネットワークを設計する方法である一方、ファントムモードのデータがパワーサプライディストリビュータ（４'、４ａ、４ｂ、２０ａ、２０ｂ）を用いて特定のリンクでスイッチされ、該パワーサプライディストリビュータが、それぞれの装置（５から９）の通信リンクを介した接続のための複数のポート（４４、４４'）と、前記ポート（４４）のそれぞれのメディアデータインタフェースの少なくとも少数に接続されたモデム（５３）と、該モデム（５３）を互いの間で接続するマルチプレクサ（５４）とを備える一方、前記マルチプレクサ（５４）がスイッチ機能を備える方法であって、
信号をファントムモードでポート（４４）において装置（５から９）から通信リンクを介して受信するステップと、
該ポート（４４）のメディアデータインタフェースに接続されたモデム（５３）によって前記データを処理するステップと、
前記マルチプレクサ（５４）に前記データを送信するステップと、
前記データをさらに送信するための少なくとも一のモデム（５３）を前記マルチプレクサ（５４）により前記スイッチ機能を用いて選択するステップと
前記データを、選択されたモデム（５３）によって、対応するポート（４４）のメディアデータインタフェースに送信して、該ポート（４４）に接続された装置（５から９）へ通信リンクを介してファントムモードでさらに送信可能にするステップと
を含む、方法。